(57)【特許請求の範囲】
【請求項１】
ガス器具本体の前面操作部に固定され外周面の一部円周方向に溝を有するリング状のボタンガイドと、前記溝に嵌合して摺動する帯状の表示板を固定した表示片と、前記ボタンガイドの内側面に沿って摺動し外周壁の一部に外周面より突出した凸状のリーフスプリングを具備し前記外周壁の一部に前記表示片と嵌合し連動する切り欠きを有して点火消火操作を行う円筒状の操作ボタンとを有し、前記操作ボタンは前面に設けた表示窓部にスリット孔を設け、前記表示窓部に設けた段差に飾り板を嵌合させて空間部を構成し、前記操作ボタンの前後操作に連動して移動する前記帯状の表示板を前記スリット孔に通して、前記表示窓孔部より見える構成とし、かつ、前記ボタンガイド内面に、前記リーフスプリングが摺動する操作ボタンの摺動方向に第１の溝を設け、摺動方向及び円周方向にＬ型の第２の溝を設けるとともに、前記Ｌ型の第２の溝と嵌合する突起を前記操作ボタンの側面に設けたガス器具栓装置。
【請求項２】
操作ボタンの切り欠き部の外周にビードを設け、ボタンガイドに前記操作ボタンのビードが円周方向及び前後方向に摺動可能な空間部をもたせ、前記操作ボタンのビードの外周が前記ボタンガイドの内周よりも大きくなるようにした請求項１記載のガス器具栓装置。
【請求項３】
表示片が、操作ボタンと接触する部分が線接触となるようにビードを前記操作ボタンに設けた請求項１記載のガス器具栓装置。
【請求項４】
表示片が、固定された一端より水平もしくは下方向に摺動可能なガイドとなるようにビードを設けた請求項３記載のガス器具栓装置。
【発明の詳細な説明】
【０００１】
【発明の属する技術分野】
本発明は、ガス調理器具に搭載するガス器具栓装置に関する。
【０００２】
【従来の技術】
従来、ガス器具栓装置は、特開平４−１０２５２号公報に記載されたものが知られている。
【０００３】
図１０に従来のガス器具栓装置の構造を示している。図１０に示すように操作部１に操作ボタン２が組み込まれている。器具に点火するには、操作ボタン２を押し込み、その後方のガス器具栓３内の閉止弁３ｂ及び安全弁３ｃを開くことにより、ガスがノズル１３を経由してバーナー８に供給される。またこれと同時に係止め装置６の動きに連動して操作ボタン２が押し込まれた状態では、点火スイッチ７が導通して点火器１２で発生した高電圧が、点火プラグ１１とバーナーキャップ９との間の点火部に電気火花放電を発生させる。その放電によりガスを点火させ、熱素子１０を加熱して熱起電力を発生し、安全弁３ｃを開の状態で保持する。ここで操作ボタン２から手を離すと、パイロット弁は閉鎖され、同時に点火スイッチ７もＯＦＦとなり、電気火花放電も止まる。この状態から火力調節レバー５を左右に動かすと、バーナーキャップ９に供給するガス量は、火力調節部のニードルにより調整される。さらにもう一度操作ボタン２を押し込めば、ガス器具栓３、閉止弁３ｂは閉鎖され、ガスはバーナー８に供給されず消火状態となるというように構成されている。
【０００４】
【発明が解決しようとする課題】
このガス器具栓装置においては、安全性が要求されている。
【０００５】
本発明は、一つのボタンで点火・消火を行う操作ボタンによって、この操作ボタンの使用状態が表示できるようにし、消し忘れを防止すると共に、また、不用意あるいは無意識の内にガス器具に点火してしまうことや、子供がいたずらに点火してしまうといった危険な状態を防止するために、使用しないときには安全のためロックできるようにすることを目的とする。
【０００６】
【課題を解決するための手段】
この課題を解決するために本発明は、操作ボタンとボタンガイドの間に着色した表示板を取り付けた表示片にて操作ボタンを摺動し、色表示により操作ボタン位置を識別できるようにし、また、操作ボタンに突起を、ボタンガイドに嵌合溝を設けて、使用しないときはロックできるように構成したものである。
【０００７】
これにより、ガス器具の使用状態が良くわかり、使用しないときはロックすることができて安全性が確保される。
【０００８】
【発明の実施の形態】
本発明の請求項１に記載の発明は、ガス器具本体の前面操作部に固定され外周面の一部円周方向に溝を有するリング状のボタンガイドと、前記溝に嵌合して摺動する帯状の表示板を固定した表示片と、前記ボタンガイドの内側面に沿って摺動し外周壁の一部に外周面より突出した凸状のリーフスプリングを具備し前記外周壁の一部に前記表示片と嵌合し連動する切り欠きを有して点火消火操作を行う円筒状の操作ボタンとを有し、前記操作ボタンは前面に設けた表示窓部にスリット孔を設け、前記表示窓部に設けた段差に飾り板を嵌合させて空間部を構成し、前記操作ボタンの前後操作に連動して移動する前記帯状の表示板を前記スリット孔に通して、前記表示窓孔部より見える構成とし、かつ、前記ボタンガイド内面に、前記リーフスプリングが摺動する操作ボタンの摺動方向に第１の溝を設け、摺動方向及び円周方向にＬ型の第２の溝を設けるとともに、前記Ｌ型の第２の溝と嵌合する突起を前記操作ボタンの側面に設けたものである。そして、帯状の表示板に色を何色か着色し、操作ボタンの摺動位置により異なった色を表示することができる。また、使用しないときは、操作ボタンを回転することにより操作ボタンの突起がＬ型の溝に沿って回転し、ロックして操作ボタンが押すことができず、操作ボタンの外周より突出したリーフスプリングが摺動方向の２箇所の溝を乗り越え時、回転してロックしたという感触を与えることができる。
【００１０】
請求項２に記載の発明は、操作ボタンの切り欠き部の外周にビードを設け、ボタンガイドに前記操作ボタンのビードが、円周方向及び前後方向に摺動可能な空間部をもたせ、前記操作ボタンのビードの外周が前記ボタンガイドの内周よりも大きくしたものである。そして、ガス器具の煮こぼれが操作ボタンの内部に進入し、表示不良などを起こさないようにしたものである。
【００１１】
請求項３に記載の発明は、操作ボタンの表示窓部のスリット孔に通す表示片が、前記操作ボタンと接触する部分を線接触とするビートを操作ボタンに設けたものであり、表示片の動きをスムーズにしたものである。
【００１２】
請求項４に記載の発明は、操作ボタンの表示窓部のスリット孔に通す表示片が、固定された一端より水平もしくは下方向に摺動可能なガイドとなるビードを設けたものである。そして、ガイドを設けて表示片の動きがたわむことなくスムーズにしたものである。
【００１３】
以下、本発明の実施例について、図１から図９及び従来の技術を説明した図１０を用いて説明する。
【００１４】
（実施例１）
図１は本発明のガス調理器具の操作ボタンユニットの構成部品の要部分斜視図である。図２は本発明の操作ボタンユニットの上からの外観斜視図、図３は同操作ユニットの断面図である。
【００１５】
ボタンガイド１４の外周面の円周方向に溝１４ａが設けられ、表示板１５を取り付けた表示片１６が嵌合している。表示板１５は、操作ボタン２の前面部の表示窓部２ａに設けられたスリット孔２ｂの２箇所に挿入されている。操作ボタン２の表示窓部２ａには、飾り板１７が取り付けられている。
【００１６】
図１に示すように、操作ボタン２が前後に摺動するため、操作ボタン２には表示片１６との前後方向との当たりをなくすように切り欠け２ｃを設けている。操作ボタン２が前後に摺動すると、表示片１６はボタンガイド１４に嵌合固定されているため、表示板１５がスライドして、表示窓部２ａの表示板１５が変化するようになる。点火時（操作ボタンを押して燃焼している位置）、消火時（使用していないとき）の表示窓部２ａに表れる表示板１５の表示を変えることにより、使用状態の識別ができるようになる。
【００１７】
（実施例２）
図１は、ボタンガイド１４と操作ボタン２の斜視図であり、操作ボタン２の側面には四角形の突起２ｄがある。またボタンガイド１４の側面の上方には逆Ｌ字型の溝１４ｂが設けられている。そして突起２ｄはＬ字型の溝１４ｂと嵌合する。
【００１８】
次に図を用いて、点火動作時、およびガス器具栓装置を操作するロック時の操作ボタン２とボタンガイド１４の動きを説明する。通常の点火消火時の状態を図４に示す。通常の操作ボタンの前後方向の動きにより操作ボタン２の突起２ｄは逆Ｌ字型溝１４ｂの操作ボタンの２の摺動方向と平行な溝１４ｃに沿って移動する。矢印１８は操作ボタン２の前後の動きを示す。突起２ｄの位置１８ａはボタンガイド１４に対する操作ボタン２の位置が点火状態にある場合を示す。突起２ｄの位置１８ｂはボタンガイド１４に対する操作ボタン２の位置が消火状態にある場合を示す。
【００１９】
次にロックの動作状態を図５にて説明する。ロックする場合は消火状態から操作ボタン２を左方向に回すことにより、突起２ｄがボタンガイド１４の逆Ｌ字型の溝１４ｂのうち円周方向の溝１４ｄに移動する。この状態で点火するために操作ボタン２を押し込もうとしても突起２ｄがボタンガイド１４の溝１４ｄの壁に当たり押し込めない。矢印１９はロック操作におけるボタンガイド１４に対する操作ボタン２の動きを示す。
【００２０】
次にガス器具栓装置のスプリングユニットについて図５において説明する。図５はボタンガイド１４と操作ボタン２を本体後方側から見た斜視図であり、操作ボタンの側面には、裾が両側に拡がった凸状のリーフスプリング２ｅが嵌入されている。またボタンガイド１４の内側面には、操作ボタン２の摺動方向に平行な摺動用溝１４ｅとロック溝１４ｆがあり、リーフスプリング２ｅは、摺動用溝１４ｅと嵌合する。
【００２１】
図６は操作ボタン２の側面に設けられたリーフスプリング嵌入部とリーフスプリング２ｅとコイルバネ２ｆの斜視図であり、リーフスプリング２ｅの、２箇所の垂直部２ｇが操作ボタン２の側面に設けられた２本の溝２ｈと嵌合する。またコイルバネ２ｆはリーフスプリング２ｅを操作ボタン２の側面に組み込んだ後、リーフスプリング２ｅと２本の溝の間の突起２ｉとの間に挿入される。
【００２２】
図７は操作ボタン２の側面に、リーフスプリング２ｅとコイルバネ２ｆを組み込んだ状態の斜視図であり、リーフスプリング２ｅは操作ボタン２の側面に設けられた突起２ｊがあるため、外れることはない。
【００２３】
図４において、操作ボタンを左方向（矢印１９の方向）に回すことにより、リーフスプリング２ｅが摺動用溝１４ｅとロック溝１４ｆ間の側壁１４ｇを乗り越え、リーフスプリング２ｅがロック溝１４ｆと嵌合し、簡単にガス器具栓装置の作動状態から点火可能状態に復帰することはない。
【００２４】
（実施例３）
図１及び図３において説明する。操作ボタン２は、点火消火の操作における摺動方向と、ロック装置における円周方向への動作がある。図１における操作ボタン２の切り欠け部２ｃの周囲にビード部２ｋを設けており、ビード部２ｋは、ボタンガイド１４の内面において、ビード部２ｋの外径よりも大きくした空間１４ｈと勘合している。操作ボタン２のビード部２ｋとボタンガイド１４の空間１４ｈの摺動面は、操作ボタン２とボタンガイド１４とが摺動する面よりも外方向に大きくとってあり、操作ボタン２の前面より煮こぼれがかかっても、操作ボタン２の切り欠け部２ｃまで入り込まないようにしている。このような構成によって、表示片１６の動きがスムーズにできるようになり、安全性が向上するように配慮することができる。
【００２５】
（実施例４）
図８は本発明の操作ボタンユニットの断面図、図９は操作ボタン２の裏からの外観図である。表示片１５が接触する部分を線接触とするために、ビード１９、２０、２１、２２が設けられている。ビードにより、表示片１５は摺動がスムーズとなり、操作ボタンの操作性が向上する。
【００２６】
（実施例５）
図８の操作ボタン２のビード１９を勾配をもたせ長くしたビード１９ａにより、表示片１５は、水平もしくは下向きとなり、上方向のたわみをなくすことができ、摺動がスムーズとなり、操作ボタンの操作性が向上する。
【００２７】
【発明の効果】
以上のように本発明によれば、ガス調理器具において、操作ボタンとボタンガイドの間に着色した表示板を取り付けた表示片にて操作ボタンを摺動することにより、操作ボタン位置を識別できるようになるので、点火使用中、消火状態か未使用状態かを明確に表示できる。
【００２８】
また、操作ボタンに突起を設け、ボタンガイドに嵌合溝を設けて、使用しないときはロックできるように構成したので安全性がより一層向上する。
【００２９】
また、ボタンの内部構造において、ビードを設けることにより、外部から煮こぼれがかかっても操作性に異常が発生することがない。
【００３０】
また、表示片がスムーズに摺動できる。
さらに本発明は、操作が一つのボタンで済み、組立性においてもユニット化されているので器具前方から挿入するだけで組立が可能であるという利点がある。
【図面の簡単な説明】
【図１】本発明の実施例１、３のガス調理栓装置の操作ボタンユニットの要部分解斜視図
【図２】同ユニットの上方から見た外観斜視図
【図３】同ユニットの断面図
【図４】本発明の実施例２のガス調理栓装置における操作ボタンの動きを示した側面図
【図５】同装置において操作ボタン２のボタンガイド１４への挿入側から見た斜視図
【図６】同操作ボタン２のロックの構成部品の分解斜視図
【図７】同操作ボタン２のロックの組み込み状態の斜視図
【図８】本発明の実施例４、５のガス調理栓装置の操作ボタンユニットの断面図
【図９】同ユニットの裏から見た背面図
【図１０】従来のガス器具栓装置の構造図
【符号の説明】
１  操作部
２  操作ボタン
２ａ  表示窓部
２ｂ  スリット孔
２ｃ  切り欠け部
２ｄ、２ｉ、２ｊ  突起
２ｅ  リーフスプリング
２ｆ  コイルバネ
２ｇ  垂直部
２ｈ、１４ａ、１４ｂ、１４ｃ  溝
２ｋ  ビード部
１４  ボタンガイド
１４ａ  溝
１４ｂ  逆Ｌ字型の溝
１４ｅ  摺動用溝
１４ｆ  ロック用溝
１４ｇ  側壁
１４ｈ  空間部
１５  表示板
１６  表示片
１７  飾り板
１９  ビード部
【図１】
0003826438.tif 000002
【図２】
0003826438.tif 000003
【図３】
0003826438.tif 000004
【図４】
0003826438.tif 000005
【図５】
0003826438.tif 000006
【図６】
0003826438.tif 000007
【図７】
0003826438.tif 000008
【図８】
0003826438.tif 000009
【図９】
0003826438.tif 000010
【図１０】
0003826438.tif 000011